(57)【要約】【課題】    ＩＣカードの挿入操作における操作性を向上し、ＩＣチップ部に対する損傷を軽減することのできるＩＣカード読み取り装置を提供する。【解決手段】  ＩＣチップ読み取り部を搭載したカード基板８を備え、ＩＣカードに搭載された前記ＩＣチップの記憶内容を読み取るＩＣカードリーダ７と、その一端にＩＣカード挿入するための挿入口を備え他端に前記ＩＣカードリーダを備え、更に前記挿入口に挿入されたＩＣカードを前記ＩＣカードリーダに案内するための搬送路を有するＩＣカードスロット４とを備え、前記カード基板は前記搬送路に並行するように前記ＩＣカードスロットに取り付け、前記ＩＣカードスロットの前記挿入口には、該挿入口を中心にしてＩＣカードスロットを本体に対して回転可能に支持する回転軸１４を備えた。【選択図】  図１
2007004566.tif 000002
【特許請求の範囲】
【請求項１】
ＩＣチップ読み取り部を搭載したカード基板を備え、ＩＣカードに搭載されたＩＣチップの記憶内容を読み取るＩＣカードリーダと、
その一端にＩＣカード挿入するための挿入口を備え他端に前記ＩＣカードリーダを備え、更に前記挿入口に挿入されたＩＣカードを前記ＩＣカードリーダに案内するための搬送路を有するＩＣカードスロットとを備え、
前記カード基板は前記搬送路に並行するようにＩＣカードスロットに取り付け、前記ＩＣカードスロットの前記挿入口には、該挿入口を中心にしてＩＣカードスロットを本体に対して回転可能に支持する回転軸を備えたことを特徴とするＩＣカード読み取り装置。
【請求項２】
請求項１記載のＩＣカード読み取り装置において、
前記ＩＣカード基板の端部にはＩＣカードスロットおよびＩＣカード基板の回転範囲を規制する回転案内機構を備えたことを特徴とするＩＣカード読み取り装置。
【請求項３】
請求項１記載のＩＣカード読み取り装置において、
ＩＣカードスロットはＩＣカード基板の端部および前記回転案内機構を支持するアーム部を備えたことを特徴とするＩＣカード読み取り装置。
【発明の詳細な説明】
【技術分野】
【０００１】
本発明は、ＩＣカード読み取り装置に係り、特に、カードの読み取り装置への挿入操作における操作性を向上し、ＩＣチップ部に対する損傷を軽減することのできるＩＣカード読み取り装置に関する。
【背景技術】
【０００２】
従来のＩＣカード読み取り装置におけるＩＣカード搬送機構は、例えば、読み取り装置側面にＩＣカードスロットを設け、該ＩＣカードスロットの挿入口にＩＣカードを挿入することによって、読み取り装置に形成したＩＣカード搬送路内をＩＣカードが搬送される構造となっている。このようなＩＣカード搬送機構としては、特許文献１を挙げることができる。
【０００３】
また、ＩＣカード搬送時のカードの保護機構として、例えば特許文献２を挙げることができる。この文献には、ＩＣカード読み取り装置のカード挿入口にＩＣカードを保護するための保護部材等を設けることが示されている。
【特許文献１】特開２００４−９４８４１号公報
【特許文献２】特開平９−２９３１２４号公報
【発明の開示】
【発明が解決しようとする課題】
【０００４】
ＩＣカード読み取り装置では、ＩＣカードスロットの挿入口よりＩＣカードを挿入し、挿入されたＩＣカードをＩＣチップ読み取り部まで搬送することにより、ＩＣチップの記憶内容を読み取り、決済などの処理を行なっている。
【０００５】
ＩＣカードの搬送方法としては、モータ等により駆動されるローラ等によってＩＣカードをＩＣチップ読み取り部まで自動搬送するもの、あるいはカードスロットにＩＣカードを挿入して、ＩＣチップ読み取り部まで手動によって搬送するもの等が知られている。
【０００６】
このようなＩＣカード読み取り装置では、ＩＣカードスロット、ＩＣカード搬送路およびＩＣチップ読み取り部がそれぞれ別構造になっていることが多い。
【０００７】
この場合、ＩＣカードの挿入方向に対して、ＩＣカードスロットの挿入口、ＩＣカード搬送路、およびＩＣチップ読み取り部をそれぞれ平行に取付けることにより、ＩＣカードの挿入時にＩＣカードが搬送路等に接触してＩＣカード自体に不要な力が加わるようなことなく搬送することができる。しかしながら、各部品の取り付け精度によっては、その取り付け方向がＩＣカードの挿入方向に対して並行にならないことがある。
【０００８】
このような場合、ＩＣカードスロットにＩＣカードを挿入する際、ＩＣカードの挿入方向と搬送路内の搬送方向とが不一致となる。このような場合は、ＩＣカードとＩＣカード搬送路との間で不要な摩擦が生じ、また、ＩＣカードが湾曲することがある。
【０００９】
ＩＣカードが湾曲した場合には、該カードが搬送されてＩＣチップ読み取り部に到達した段階でＩＣチップ読み取り部に不要な力をかけ、該読み取り部あるいはＩＣカードに搭載したＩＣチップに損傷を与えることになる。また、読み取り部の読み取りエラーを誘発することになる。
【００１０】
本発明は、これらの問題点に鑑みてなされたもので、ＩＣカードの挿入操作における操作性を向上し、ＩＣチップ部に対する損傷を軽減することのできるＩＣカード読み取り装置を提供するものである。
【課題を解決するための手段】
【００１１】
本発明は上記課題を解決するため、次のような手段を採用した。
【００１２】
ＩＣチップ読み取り部を搭載したカード基板を備え、ＩＣカードに搭載された前記ＩＣチップの記憶内容を読み取るＩＣカードリーダと、その一端にＩＣカード挿入するための挿入口を備え他端に前記ＩＣカードリーダを備え、更に前記挿入口に挿入されたＩＣカードを前記ＩＣカードリーダに案内するための搬送路を有するＩＣカードスロットとを備え、前記カード基板は前記搬送路に並行するようにＩＣカードスロットに取り付け、前記ＩＣカードスロットの前記挿入口には、該挿入口を中心にしてＩＣカードスロットを本体に対して回転可能に支持する回転軸を備えた。
【発明の効果】
【００１３】
本発明は、以上の構成を備えるため、ＩＣカードの挿入操作における操作性を向上し、ＩＣチップ部に対する損傷を軽減することができる。
【発明を実施するための最良の形態】
【００１４】
以下、最良の実施形態を添付図面を参照しながら説明する。図１は、本発明の実施形態に係るＩＣカード読み取り部を備えた決済端末を説明する図であり、図２は、図１に示すＩＣカード読み取り部の内部構造を説明する図である。
【００１５】
この種の決済端末は、図１に示すように、決済端末等の読み取り装置本体１の表面部に操作部２、あるいは処理結果を表示する表示部３を配置するとともに、ＩＣカードスロット４、プリンターユニット５、本体カバー６を備えている。
【００１６】
また、図２に示すように、本体１の内部には、ＩＣカードリーダ７、ＩＣカードリーダ７を取付けるカード基板８、端末全体を制御する制御基板９、前記カード基板８と制御基板９を接続する接続ケーブル１０、カード基板８をカードスロット４のアーム部１５に固定する固定金具１１、制御基板９を取り付けた基板取付フレーム１２を備えている。
【００１７】
また、カード基板固定金具１１は、カード基板回転案内機構１６を備え、案内機構１６を構成する軸１６ａは前記基板取り付け金具１２に形成した円弧状の切欠き２０に嵌合している。
【００１８】
読み取り装置本体（決済端末）１の使用に際しては、例えば、顧客はＰＯＳ端末等に入力された商品の代金を支払うために、電子マネーが入金されているＩＣカード等のクレジットカードを店員に手渡す。ＩＣカードを受け取った店員は、該カードを読み取り装置本体１のＩＣカードスロット４に挿入する。本体１はＩＣカードに記憶された顧客情報を読み出し、顧客に暗証番号を入力するように促す。暗証番号の入力を促された顧客は、本体１等を操作して暗証番号入力し、入力データを上位装置に送信する。店員は上位装置から顧客の認証が得られた場合には、本体１を操作して決済の受付を行い、決済伝票を印字して顧客に渡す。
【００１９】
図３は、ＩＣカード読み取り部の詳細を説明する図である。ＩＣカード１３は、ＩＣカードスロット４の挿入口より挿入する。ＩＣカードスロット４は挿入口近傍に配置したＩＣカードスロット回転軸１４を中心にして図示矢印Ａ方向（上下方向）に回転可能に支持されている。なお、この回転は、前記カード基板回転案内機構１６を構成する軸１６ａおよび切欠き２０により所定範囲に制限されている。
【００２０】
このため、ＩＣカード１３を前記カードスロット１４に挿入する際、ＩＣカードスロットは、利用者の手などによって操作力が加えられると、所定範囲内の角度まで回転軸１４の回りを回転することができる。すなわち、ＩＣカード１３の挿入される方向に沿ってＩＣカードスロット４が回転するようになっている。
【００２１】
なお、ＩＣカードリーダ７が取付けられたカード基板８は、ＩＣカードスロット４と、ＩＣカードスロットのアーム部１５に取り付けたカード基板固定金具１１よって保持されている。このため、前記カード基板８及びカードリーダは７は、ＩＣカードが挿入されたとき、このＩＣカード挿入方向と常に一致する方向に回動することができる。
【００２２】
図４は、ＩＣカード読み取り部の読み取り処理を説明する図である。例えば、ＩＣカード１３をＩＣカードスロット４の挿入口に対し、斜め上方より挿入した場合、ＩＣカードスロット４はＩＣカード１３が挿入されたとき、操作者の手などによって掛けられた荷重により、挿入された向きに沿うようにＩＣカードスロット回転軸１４を中心に上向き（右回り）に回転する。
【００２３】
これと同時に、アーム部１５によって保持されたカード基板８およびカードリーダ７は、下向き（右回り）に回転する。なお、この右回りの回転は、前述のように前記カード基板回転案内機構１６を構成する軸１６ａおよび切欠き２０により所定範囲に制限される。
【００２４】
したがって、ＩＣカードスロット４と、カード基板８に取付けられたＩＣカードリーダ７は、挿入されたＩＣカード１３と常に平行を保つことができる。このため、ＩＣカード１３は、ＩＣカードスロット４からＩＣカード搬送路１７を介して、カード基板８およびカード基板に取付けられたＩＣカードリーダ７に平行して搬送されることになる。
【００２５】
このため、ＩＣカード１３がＩＣカード搬送路１７との摩擦によって湾曲されることがなくなる。また、ＩＣチップ読み取り器１８がＩＣカード１３に搭載したＩＣチップ１９に当接してＩＣチップに不要な力を加えることがなくなる。これにより、ＩＣチップ１９の損傷を軽減することができる。
【００２６】
なお、以上はＩＣカード１３を手動で挿入し、手動で搬送する例について説明したが、自動で搬送することも可能である。手動で搬送する場合は、手動搬送にかかる力以外の力は掛からないので、搬送に対する安全性をより高めることができる。
【００２７】
以上、説明したように、本実施形態によれば、ＩＣカードスロット４およびＩＣカードリーダ７を一体化して、ＩＣカードリーダの読み取り面側に形成したカード搬送路１７とＩＣカードスロットとを一体に動く構造とした。さらに、この一体化したＩＣカードスロット４およびＩＣカードリーダ７は、ＩＣカードを挿入する際の操作者の操作力により、カードの挿入方向と常に平行になるように回動する。このため、ＩＣカードとＩＣカード搬送路との不要な摩擦もなく、ＩＣカードが湾曲することもないため、ＩＣチップ部への損傷を軽減することができ、またＩＣカードの挿入動作の操作性向上を図ることができる。
【図面の簡単な説明】
【００２８】
【図１】本発明の実施形態に係るＩＣカード読み取り部を備えた決済端末を説明する図であ。
【図２】ＩＣカード読み取り部の内部構造を説明する図である。
【図３】ＩＣカード読み取り部の詳細を説明する図である。
【図４】ＩＣカード読み取り部置の読み取り処理を説明する図である。
【符号の説明】
【００２９】
１  読み取り装置本体
２  操作部
３  表示部
４  ＩＣカードスロット
５  プリンターユニット
６  本体カバー
７  ＩＣカードリーダ
８  カード基板
９  制御基板
１０  接続ケーブル
１１  カード基板固定金具
１２  基板取付金具
１３  ＩＣカード
１４  ＩＣカードスロット回転軸
１５  アーム部
１６  カード基板回転案内機構
１７  ＩＣカード搬送路
１８  ＩＣチップ読み取り器
１９  ＩＣチップ
【図１】
2007004566.tif 000003
【図２】
2007004566.tif 000004
【図３】
2007004566.tif 000005
【図４】
2007004566.tif 000006